(57)【要約】【課題】  利用グループの代表者が乗場において行先階等を登録する際に、利用グループを同乗させるかまたは利用グループを分割して複数のかごに割当てても良いかを選択することができる行先階登録装置を得る。【解決手段】  エレベーターの乗場において利用者が行先階を入力する行先階入力手段２と、前記利用者が２人以上のグループで利用する利用グループに属する場合に当該利用者が操作する利用グループ入力手段５と、前記利用グループ全員を同乗させる場合に前記利用者が操作する分割禁止入力手段６とを備える。【選択図】          図１
2017007794.tif 000002
【特許請求の範囲】
【請求項１】
エレベーターの乗場において利用者が行先階を入力する行先階入力手段と、
前記利用者が２人以上のグループで利用する利用グループに属する場合に当該利用者が操作する利用グループ入力手段と、
前記利用グループ全員を同乗させる場合に前記利用者が操作する分割禁止入力手段と
を備える行先階登録装置。
【請求項２】
前記行先階入力手段は、テンキーであり、
前記利用グループ入力手段は、前記利用グループの人数を入力する利用グループ人数入力ボタンであり、
前記分割禁止入力手段は、分割禁止ボタンである請求項１に記載の行先階登録装置。
【請求項３】
前記利用者は、前記テンキーで前記グループの人数を登録する請求項１または請求項２に記載の行先階登録装置。
【請求項４】
前記利用者が所持し当該利用者の行先階を記録する記録媒体から、前記行先階を読み取る読取装置を備え、
前記記録媒体が前記利用者に所持される場合、前記記録媒体は、前記利用グループの人数及び当該利用グループを同乗させるか当該利用グループを分割して複数のかごに割当てても良いかのいずれかを記録し、前記読取装置は、前記利用者に所持される前記記録媒体から前記行先階、前記利用グループの人数、及び前記利用グループを同乗させるか当該利用グループを分割して前記複数のかごに割当てても良いかのいずれかを読み取る請求項１から請求項３のいずれか一項に記載の行先階登録装置。
【請求項５】
請求項１から請求項４のいずれか一項に記載の行先階登録装置を備える群管理制御システムであって、
前記行先階登録装置に入力された行先階及び当該行先階登録装置が設置される階床を出発階として行先階登録を受け付け、前記分割禁止入力手段が操作された場合に分割割当禁止登録を受け付ける登録受付手段と、
前記登録受付手段が前記分割禁止登録を受け付けた場合に、前記複数のかごの中から前記利用グループの人数分の乗車スペースのあるかごを前記利用グループに割当てる群管理制御手段と
を備える群管理制御システム。
【請求項６】
前記複数のかごそれぞれから前記かご内に乗車している利用者の人数を取得する乗車人数受信手段と、
前記乗車人数受信手段が前記複数のかごそれぞれから前記かご内に乗車している利用者の人数を取得した回数をカウントする乗車人数取得回数カウント手段とを備え、
前記乗車人数受信手段は、前記登録受付手段が前記分割禁止登録を受け付けかつ前記乗車人数取得回数カウント手段のカウント値が予め決められた回数以下の場合に、前記利用グループの人数分の乗車スペースのあるかごを検出するまで前記かご内に乗車している利用者の人数を取得し続ける請求項５に記載の群管理制御システム。
【請求項７】
前記利用者に対し同乗可能な最大人数を報知する報知手段を備える請求項５または請求項６に記載の群管理制御システム。
【発明の詳細な説明】
【技術分野】
【０００１】
この発明は、エレベーターの行先階登録装置、及び当該行先階登録装置を備える群管理制御システムに関する。
【背景技術】
【０００２】
エレベーターの利用者が多い建物では、同一のビル内に複数のエレベーターを設ける。さらに、全体としてのエレベーターの運行効率を向上させるため、複数のエレベーターに対して群管理制御を行う。従来の群管理制御システムにあっては、２人以上のグループでエレベーターを利用する利用グループの代表者は、乗場に設けられる行先階登録装置で行先階及び当該利用グループの人数を登録する（例えば、特許文献１）。特許文献１に記載の群管理制御システムは、すべてのエレベーターが混雑しているために行先階登録を受け付けた利用グループ全員を一つのかごに同時に割当てられないと判断すると、当該利用グループを分割して複数のかごに割当てる。
【先行技術文献】
【特許文献】
【０００３】
【特許文献１】特表２００７−５１８６５２号公報（第７頁、第１図）
【発明の概要】
【発明が解決しようとする課題】
【０００４】
しかしながら、特許文献１に記載の群管理制御システムでは、利用グループの代表者は、利用グループを同乗させるかまたは利用グループを分割して複数のかごに割当てても良いかを選択することができないので、全員で同乗したい利用グループにとっては、意図しない割当をされることがあり、不便であった。
【０００５】
この発明は、上述の問題を解決するためになされたものであり、利用グループの代表者が乗場において行先階等を登録する際に、利用グループを同乗させるかまたは利用グループを分割して複数のかごに割当てても良いかを選択することができる行先階登録装置を得る。
【０００６】
また、利用グループの代表者が乗場において選択した当該利用グループの分割の可否に基づいて、エレベーターのかごを割当てる群管理制御システムを得る。
【課題を解決するための手段】
【０００７】
この発明の第一の発明に係る行先階登録装置にあっては、エレベーターの乗場において利用者が行先階を入力する行先階入力手段と、前記利用者が２人以上のグループで利用する利用グループに属する場合に当該利用者が操作する利用グループ入力手段と、前記利用グループ全員を同乗させる場合に前記利用者が操作する分割禁止入力手段とを備える。
【０００８】
また、第二の発明に係る群管理制御システムにあっては、第一の発明に係る行先階登録装置を備える群管理制御システムであって、前記行先階登録装置に入力された行先階及び当該行先階登録装置が設置される階床を出発階として行先階登録を受け付け、前記分割禁止入力手段が操作された場合に分割割当禁止登録を受け付ける登録受付手段と、前記登録受付手段が前記分割禁止登録を受け付けた場合に、前記複数のかごの中から前記利用グループの人数分の乗車スペースのあるかごを前記利用グループに割当てる群管理制御手段とを備える。
【発明の効果】
【０００９】
この発明の第一の発明によれば、利用グループの代表者は、乗場において行先階等を登録する際に、利用グループを同乗させるかまたは利用グループを分割して複数のかごに割当てても良いかを選択することができるので、利用者の利便性が向上する。
【００１０】
また、第二の発明によれば、群管理制御システムは、利用グループの代表者が乗場において選択した当該利用グループの分割の可否に基づいて、エレベーターのかごを割当てるので、利用者の利便性が向上する。
【図面の簡単な説明】
【００１１】
【図１】この発明の実施の形態１を示す行先階登録装置の正面図である。
【図２】この発明の実施の形態１を示す群管理制御システムの全体構成図である。
【図３】この発明の実施の形態１を示す群管理制御装置のハードウェア構成図である。
【図４】この発明の実施の形態１を示す群管理制御装置が行先階登録を受け付けた場合の動作を示すフローチャートである。
【図５】この発明の実施の形態１を示す分割割当禁止を選択した利用グループに対するかごの割当方法を示すフローチャートである。
【図６】この発明の実施の形態１を示す分割割当可能を選択した利用グループに対するかごの割当方法を示すフローチャートである。
【図７】この発明の実施の形態１を示す単独利用者に対するかごの割当方法を示すフローチャートである。
【図８】この発明の実施の形態２を示す群管理制御システムの全体構成図である。
【図９】この発明の実施の形態２を示す記録媒体の記録内容を示す図である。
【図１０】この発明の実施の形態３を示す行先階登録装置の正面図である。
【発明を実施するための形態】
【００１２】
実施の形態１．
図１は、この実施の形態における行先階登録装置１の正面図である。行先階登録装置１は、乗場に設けられ、利用者が行先階、グループで乗車する場合の当該グループの人数の登録操作及びグループを分割して複数のかご３０に割当てても良いかどうかの選択操作を行う装置である。ここで、エレベーターの利用者のうち、１人で利用する者を単独利用者、２人以上のグループで利用する者を利用グループと称す。また、利用グループに属する者のうち、行先階登録装置１を操作する者を当該利用グループの代表者と称す。行先階登録装置１は、テンキー２、行先階確定ボタン３、地階ボタン４、利用グループ人数入力ボタン５、分割禁止ボタン６、表示パネル７を備える。
【００１３】
テンキー２は、利用者が行先階を入力する場合に操作される。行先階確定ボタン３は、利用者が入力した行先階を確定する場合に操作される。地階ボタン４は、利用者が地階を行先階として入力する場合に操作される。利用グループ人数入力ボタン５は、利用グループの代表者が当該利用グループのおおまかな人数を登録する場合に操作され、大人数ボタン５ａ、中人数ボタン５ｂ、少人数ボタン５ｃで構成される。ここで、おおまかな人数とは、具体的な利用グループの人数ではなく、大人数、中人数、少人数等の利用グループのおおまかな人数を示す。例えば、大人数は、８人以上、中人数は、５〜７人、少人数は、２〜４人を指す。分割禁止ボタン６は、利用グループ全員が同じかご３０に同乗したい場合に、当該利用グループの代表者に操作される。表示パネル７は、利用者が入力した行先階、及び当該利用者に割当てられたかご３０を表示する。図１の例では、利用者は、行先階として１２階を入力し、Ａ号機のかご３０が割当てられたことを示す。また、表示パネル７は、群管理制御装置１０が全員で同乗したい利用グループに対し当該利用グループ全員が同乗できるかご３０を検出できなかった場合に、かご３０を割当てられないことを表示する。
【００１４】
ここで、テンキー２、行先階確定ボタン３、地階ボタン４は、行先階入力手段である。また、利用グループ人数入力ボタン５は、利用グループ入力手段である。また、分割禁止ボタン６は、分割禁止入力手段である。
【００１５】
図２は、この実施の形態における群管理制御システムの全体構成図である。群管理制御システムは、行先階登録装置１、群管理制御装置１０、複数のエレベーター制御装置２０、複数のエレベーター制御装置２０とそれぞれ接続する複数のかご３０を備える。図２の例では、群管理制御システムは、２つのエレベーター制御装置２０と２つのかご３０を備える。なお、群管理制御システムは、３以上のエレベーター制御装置２０と３以上のかご３０を備えても良い。
【００１６】
群管理制御装置１０は、複数のエレベーター制御装置２０から各かご３０の運行状況及び乗車人数の取得、行先階登録装置１から出力される行先階登録の受付、当該行先階登録に対する割当かご３０の決定を行う。ここで、かご３０の運行状況とは、かご３０の走行または停車位置、走行方向、目的階到着予想時刻等を示す。群管理制御装置１０は、登録受付手段１１、群管理制御手段１２、報知手段１３、運行状況受信手段１４、乗車人数受信手段１５、乗車人数取得回数カウント手段１６を備える。登録受付手段１１は、利用者が行先階登録装置１で入力した行先階、同乗人数、及び当該行先階登録装置１が設置される階床を出発階とし、行先階、同乗人数、出発階を含む行先階登録を受け付け、受け付けた行先階登録を群管理制御手段１２に出力する。ここで、登録受付手段１１は、利用グループ人数入力ボタン５のうち当該行先階登録で操作されたボタンに基づいて、同乗人数を受け付ける。なお、行先階登録装置１を操作した利用者が単独利用者の場合、登録受付手段１１は、同乗人数を１人として受け付ける。また、登録受付手段１１は、利用グループの代表者が分割禁止ボタン６を操作した場合に、行先階登録とともに分割割当禁止登録を受け付け、群管理制御手段１２に出力する。群管理制御手段１２は、登録受付手段１１から受信した出発階、行先階、同乗人数、運行状況受信手段１４から受信したかご３０の運行状況、乗車人数受信手段１５から受信したかご３０の乗車人数に基づいて、当該利用者に割当てるかご３０を決定し、割当かご３０の運転を制御するエレベーター制御装置２０に出力する。報知手段１３は、群管理制御手段１２による割当かご決定に基づき、行先階及び割当かご３０を行先階登録装置１の表示パネル７に表示させる。運行状況受信手段１４は、複数のエレベーター制御装置２０から各かご３０の運行状況を受信し、群管理制御手段１２に出力する。乗車人数受信手段１５は、複数のエレベーター制御装置２０から各かご３０の乗車人数を受信し、群管理制御手段１２に出力する。乗車人数取得回数カウント手段１６は、かご３０の割当を行う場合に、乗車人数受信手段１５がかご３０内に乗車している人数を取得した回数をカウントする。
【００１７】
エレベーター制御装置２０は、群管理制御手段１２の割当結果に従い、巻上機（図示せず）を制御してかご３０の運行制御を行う。また、エレベーター制御装置２０は、かご３０の運行状況を運行状況受信手段１４に通知し、かご３０の乗車人数を乗車人数受信手段１５に通知する。
【００１８】
かご３０は、エレベーター制御装置２０により制御される巻上機が回転駆動することにより、昇降路内を昇降する。かご３０は、かご操作盤３１、乗車人数検出手段３２を備える。かご操作盤３１は、かご３０内に乗車している利用者が行先階の登録、戸開閉操作を行う場合に操作される。乗車人数検出手段３２は、かご３０内に乗車している人数を検出し、エレベーター制御装置２０に出力する。なお、かご３０内に乗車している人数の検出方法は、積載量から検出しても良いし、かご３０内に設けたカメラ等により取得した画像から検出しても良いし、その他の方法としても良い。
【００１９】
図３は、この実施の形態における群管理制御装置１０のハードウェア構成図である。群管理制御装置１０は、ＣＰＵ１０ａ、ＲＯＭ１０ｂ、ＲＡＭ１０ｃ、変換装置１０ｄで構成される。ＣＰＵ１０ａは、中央演算装置である。ＲＯＭ１０ｂは、読み出しメモリであり、群管理制御を実行する動作プログラムを記憶する。ＲＡＭ１０ｃは、ＣＰＵ１０ａがＲＯＭ１０ｂに記憶される動作プログラムを実行するために必要なデータを記憶するメモリである。変換装置１０ｄは、行先階登録装置１及びエレベーター制御装置２０と接続し、入出力信号を出力先の機器に対応する信号に変換する。
【００２０】
登録受付手段１１、群管理制御手段１２、報知手段１３、運行状況受信手段１４、乗車人数受信手段１５、乗車人数取得回数カウント手段１６は、ＣＰＵ１０ａがＲＯＭ１０ｂに記憶される動作プログラムを実行することにより実現される。運行状況受信手段１４が受信したかご３０の運行状況及び乗車人数受信手段１５が受信したかご３０の乗車人数は、ＲＡＭ１０ｃに記憶される。行先階登録装置１から登録受付手段１１への入力信号、報知手段１３から行先階登録装置１への出力信号、群管理制御手段１２からエレベーター制御装置２０への出力信号、エレベーター制御装置２０から運行状況受信手段１４及び乗車人数受信手段１５への入力信号は、変換装置１０ｄにより出力先の機器に対応する信号に変換される。
【００２１】
次に、図４から図７に基づいて、この実施の形態における群管理制御装置１０の動作を説明する。図４は、この実施の形態における群管理制御装置１０が行先階登録を受け付けた場合の動作を示すフローチャートである。図５は、この実施の形態における分割割当禁止を選択した利用グループに対するかご３０の割当方法を示すフローチャートである。図６は、この実施の形態における分割割当可能を選択した利用グループに対するかご３０の割当方法を示すフローチャートである。図７は、この実施の形態における単独利用者に対するかご３０の割当方法を示すフローチャートである。
【００２２】
図４において、ステップ（以下、Ｓと称す）１で、登録受付手段１１は、行先階登録装置１から行先階登録を受け付けたか判断する。登録受付手段１１は、利用グループの代表者または単独利用者が行先階登録装置１に入力した行先階を含む情報を行先階登録装置１から受信すると、行先階登録を受け付けたと判断する。登録受付手段１１が行先階登録を受け付けた場合、Ｓ２に進み、受け付けていない場合、Ｓ１に戻る。
【００２３】
Ｓ２で、登録受付手段１１は、２人以上の同乗人数を受け付けたか判断する。登録受付手段１１が２人以上の同乗人数登録を受け付けた場合、Ｓ３に進み、１人の同乗人数登録を受け付けた場合、Ｓ８に進む。
【００２４】
Ｓ３で、登録受付手段１１は、分割割当禁止登録を受け付けたか判断する。登録受付手段１１が分割割当禁止登録を受け付けた場合、Ｓ４に進み、受け付けていない場合、Ｓ６に進む。
【００２５】
Ｓ４で、登録受付手段１１は、群管理制御手段１２に行先階登録及び分割割当禁止登録を出力する。ここで、登録受付手段１１は、人数登録ボタン５のうち利用グループの代表者が操作したボタンに対応する利用グループの人数を同乗人数として出力する。例えば、利用グループの代表者が大人数ボタン５ａを操作した場合、登録受付手段１１は、同乗人数を８人として受け付ける。登録受付手段１１が群管理制御手段１２に行先階登録及び分割割当禁止登録を出力すると、Ｓ５に進む。
【００２６】
Ｓ５で、群管理制御手段１２は、Ｓ４で登録受付手段１１が出力した行先階登録及び分割割当禁止登録に基づき、かご３０の割当を行う。具体的なかご３０の割当方法は、後に詳細に説明する。群管理制御手段１２がかご３０の割当を行うと、Ｓ１０に進む。
【００２７】
Ｓ６で、登録受付手段１１は、群管理制御手段１２に行先階登録を出力する。登録受付手段１１が行先階登録を出力すると、Ｓ７に進む。
【００２８】
Ｓ７で、群管理制御手段１２は、Ｓ６で登録受付手段１１が出力した行先階登録に基づき、かご３０の割当を行う。具体的なかご３０の割当方法は、後に詳細に説明する。群管理制御手段１２がかご３０の割当を行うと、Ｓ１０に進む。
【００２９】
Ｓ８で、登録受付手段１１は、群管理制御手段１２に行先階登録を出力する登録受付手段１１が群管理制御手段１２に行先階登録を出力すると、Ｓ９に進む。
【００３０】
Ｓ９で、群管理制御手段１２は、Ｓ８で登録受付手段１１が出力した行先階登録に基づき、かご３０の割当を行う。具体的なかご３０の割当方法は、後に詳細に説明する。群管理制御手段１２がかご３０の割当を行うと、Ｓ１０に進む。
【００３１】
Ｓ１０で、報知手段１３は、Ｓ５、Ｓ７、Ｓ９のいずれかで行ったかご割当の結果を表示パネル７に表示させる。Ｓ５、Ｓ７、Ｓ９のいずれかにおいて、群管理制御手段１２がかご３０を割当てた場合、報知手段１３は、当該かご３０及びＳ１で登録受付手段１１が受け付けた行先階を表示パネル７に表示させる。Ｓ５において、群管理制御手段１２がかご３０を割当てられなかった場合、報知手段１３は、かご３０を割当てられないことを表示パネル７に表示させる。報知手段１３がかご割当の結果を表示させると、フローを終了する。
【００３２】
次に、図５に基づいて、図４のＳ５における、分割割当禁止を選択した利用グループに対するかご３０の割当方法を説明する。
【００３３】
図５のＳ５１で、群管理制御手段１２は、乗車人数受信手段１５から各かご３０の乗車人数を取得する。群管理制御手段１２が各かご３０の乗車人数を取得すると、Ｓ５２に進む。
【００３４】
Ｓ５２で、群管理制御手段１２は、図４のＳ４で登録受付手段１１が群管理制御手段１２に出力した同乗人数分の乗車スペースのあるかご３０を検出したか判断する。群管理制御手段１２が同乗人数分の乗車スペースのあるかご３０を検出した場合、Ｓ５３に進み、検出していない場合Ｓ５４に進む。
【００３５】
Ｓ５３で、群管理制御手段１２は、Ｓ５２で検出した同乗人数分の乗車スペースのあるかご３０を割当かご３０に決定する。なお、Ｓ５２で検出した同乗人数分の乗車スペースのあるかご３０が複数ある場合、群管理制御手段１２は、同乗人数分の乗車スペースのあるかご３０のうち、図４のＳ４で登録受付手段１１が群管理制御手段１２に出力した出発階に最も早く到着するかご３０を割当かご３０に決定しても良いし、その他の構成としても良い。群管理制御手段１２が割当かご３０を決定すると、フローを終了する。
【００３６】
Ｓ５４で、群管理制御手段１２は、乗車人数取得回数カウント手段１６がカウントする乗車人数受信手段１５から各かご３０の乗車人数の取得回数が予め決められた閾値に達したか判断する。乗車人数取得回数カウント手段１６のカウント値が予め決められた閾値に達した場合Ｓ５６に進み、達していない場合、Ｓ５５に進む。
【００３７】
Ｓ５５で、乗車人数取得回数カウント手段１６は、各かご３０の乗車人数取得回数のカウント値をカウントアップする。乗車人数取得回数カウント手段１６がカウント値をカウントアップすると、Ｓ５１に戻る。
【００３８】
Ｓ５４で、乗車人数取得回数カウント手段１６のカウント値が予め決められた閾値に達した場合、Ｓ５６で、群管理制御手段１２は、図４のＳ４で登録受付手段１１が群管理制御手段１２に出力した行先階登録に対し、かご３０の割当てができないと判断し、フローを終了する。
【００３９】
次に、図６に基づいて、図４のＳ７における分割割当可能を選択した利用グループに対するかご３０の割当方法を説明する。
【００４０】
図６のＳ７１で、群管理制御手段１２は、乗車人数取得手段１５から各かご３０の乗車人数を取得する。群管理制御手段１２が各かご３０の乗車人数を取得すると、Ｓ７２に進む。
【００４１】
Ｓ７２で、群管理制御手段１２は、図４のＳ６で登録受付手段１１が群管理制御手段１２に出力した同乗人数分の乗車スペースのあるかご３０を検出したか判断する。群管理制御手段１２が同乗人数分の乗車スペースのあるかご３０を検出した場合、Ｓ７３に進み、検出していない場合Ｓ７４に進む。
【００４２】
Ｓ７３で、群管理制御手段１２は、Ｓ７２で検出した同乗人数分の乗車スペースのあるかご３０を割当かご３０に決定する。なお、Ｓ７２で検出した同乗人数分の乗車スペースのあるかご３０が複数ある場合、群管理制御手段１２は、同乗人数分の乗車スペースのあるかご３０のうち、図４のＳ６で登録受付手段１１が群管理制御手段１２に出力した出発階に最も早く到着するかご３０を割当かご３０に決定しても良いし、その他の構成としても良い。群管理制御手段１２が割当かご３０を決定すると、フローを終了する。
【００４３】
Ｓ７２で、群管理制御手段１２が同乗人数分の乗車スペースのあるかご３０を検出していない場合、Ｓ７４で、群管理制御手段１２は、当該利用グループを複数のかご３０に分割して割当てる。群管理制御手段１２は、例えば、図４のＳ６で登録受付手段１１が群管理制御手段１２に出力した出発階に早く到着するかご３０から順に割当てても良いし、その他の構成としても良い。群管理制御手段１２が割当かご３０を決定すると、フローを終了する。
【００４４】
次に、図７に基づいて、図４のＳ９における単独利用者に対するかご３０の割当方法を説明する。
【００４５】
図７のＳ９１で、群管理制御手段１２は、乗車人数受信手段１５から各かご３０の乗車人数を取得する。群管理制御手段１２が各かご３０の乗車人数を取得するとＳ９２に進む。
【００４６】
Ｓ９２で、群管理制御手段１２は、Ｓ９１で取得した各かご３０の乗車人数に基づき、乗車スペースのあるかご３０を割当かご３０に決定する。なお、Ｓ９１で検出した乗車スペースのあるかご３０が複数ある場合、群管理制御手段１２は、乗車スペースのあるかご３０のうち、図４のＳ８で登録受付手段１１が群管理制御手段１２に出力した出発階に最も早く到着するかご３０を割当てても良いし、その他の構成としても良い。
【００４７】
以上述べたように、この実施の形態における行先階登録装置１にあっては、利用グループ全員でエレベーターに同乗したい場合に、当該利用グループの代表者は、当該利用グループを分割して複数のかご３０に割当てても良いかどうかを選択することができるので、利用者の利便性が向上する。
【００４８】
また、この実施の形態における行先階登録装置１は、エレベーターの乗場において利用者が行先階を入力する行先階入力手段と、利用者が２人以上のグループで利用する利用グループに属する場合に当該利用者が操作する利用グループ入力手段と、利用グループ全員を同乗させる場合に利用者が操作する分割禁止入力手段とを備える。これにより、利用グループの代表者は、利用グループ全員でエレベーターに同乗したい場合に利用グループを分割して複数のかご３０に割当てることを禁止できるので、利用者の利便性が向上する。
【００４９】
また、この実施の形態における行先階登録装置１において、行先階入力手段は、テンキー２であり、利用グループ入力手段は、利用グループの人数を入力する利用グループ人数入力ボタン５であり、分割禁止入力手段は、分割禁止ボタン６である。これにより、利用グループの代表者は、行先階登録装置１に当該利用グループの人数を入力するとともに、分割配車の可否の選択ができ、当該利用グループの人数分の割当を要求することができるので、利用者の利便性が向上する。また、利用グループの代表者は、利用グループ人数入力ボタン５のうち、当該利用グループの人数に該当するボタンを操作することで、同乗人数を入力できるので、利用者の操作性が向上する。
【００５０】
また、この実施の形態における行先階登録装置１において、利用者は、テンキー２でグループの人数を登録する。これにより、利用グループの代表者は、利用グループの正確な人数を登録し、利用グループの人数分のかご割当を要求できるので、利用者の利便性が向上する。
【００５１】
また、この実施の形態における群管理制御システムにあっては、利用グループの代表者が行先階登録装置１において分割割当禁止を選択した場合に当該利用グループの人数分の乗車スペースのあるかご３０を割当てるので、グループ全員がエレベーターに同乗でき、利用者の利便性が向上する。
【００５２】
また、この実施の形態における群管理制御システムは、行先階登録装置１に入力された行先階及び当該行先階登録装置１が設置される階床を出発階として受け付け、分割禁止入力手段が操作された場合に分割割当禁止登録を受け付ける登録受付手段１１を備える。また、群管理制御システムは、登録受付手段１１が分割割当禁止登録を受け付けた場合に、複数のかご３０の中から利用グループの人数分の乗車スペースのあるかご３０を利用グループに割当てる群管理制御手段１２を備える。これにより、群管理制御システムは、利用グループの代表者が分割割当禁止を選択した場合に、利用グループの人数分の乗車スペースのあるかご３０を当該利用グループに割当てるので、利用者の利便性が向上する。
【００５３】
また、この実施の形態における群管理制御システムにあっては、複数のかご３０それぞれからかご３０内に乗車している利用者の人数を取得する乗車人数受信手段１５と、乗車人数受信手段１５が複数のかご３０それぞれからかご３０内に乗車している利用者の人数を取得した回数をカウントする乗車人数取得回数カウント手段１６とを備える。また、乗車人数受信手段１５は、登録受付手段１１が分割割当禁止登録を受け付けかつ乗車人数取得回数カウント手段１６のカウント値が予め決められた回数以下の場合に、利用グループの人数分の乗車スペースのあるかご３０を検出するまでかご３０内に乗車している利用者の人数を取得し続ける。これにより、群管理制御システムは、利用グループの代表者が分割配車禁止を選択した場合に、利用グループの人数分の乗車スペースのあるかご３０を検出するまで、各かご３０の乗車人数を取得し続けるので、当該利用グループを分割して複数のかご３０に割当てることを防止でき、利用者の利便性が向上する。
【００５４】
なお、利用グループの代表者は、利用グループ人数入力ボタン５を操作して利用グループの人数を入力するとしたが、これに限らず、例えば、テンキー２で利用グループの人数を入力する構成としても良い。この場合、テンキー２は、行先階入力手段及び利用グループ入力手段としての機能を備える。
【００５５】
実施の形態２．
図８は、この実施の形態における群管理制御システムの全体構成図である。この実施の形態における群管理制御システムは、読取装置８及び記録媒体９を備える。読取装置８は、行先階登録装置１に設けられ、記録媒体９に記録される情報を読み取る。記録媒体９は、利用者に所持され、後述する情報を記録する。読取装置８を除く行先階登録装置１の構成及び群管理制御装置１０、エレベーター制御装置２０、かご３０の構成は、実施の形態１と同態様である。
【００５６】
図９は、この実施の形態における記録媒体９の記録内容を示す図である。図９に示す記録媒体９は、利用グループの代表者に所持され、当該利用グループの行先階１２階、利用グループの人数である同乗人数５人、利用グループを分割せずに同乗させることを記録している。なお、利用グループを同乗させなくても良い場合、記録媒体９は、分割割当について「可能」と記録する。また、単独利用者に所持される場合、記録媒体９は、行先階及び同乗人数のみを記録し、分割割当について記録しない。ここで、単独利用者に所持される場合、記録媒体９は、同乗人数を１人として記録する。なお、この実施の形態において、読取装置８及び記録媒体９は、それぞれ、行先階入力手段、利用グループ入力手段、分割禁止入力手段としての機能を備える。
【００５７】
この実施の形態における行先階登録装置１及び群管理制御システムにあっては、読取装置８が記録媒体９から行先階を読み取ると、行先階入力手段が操作されたと判断する。また、読取装置８が利用グループの代表者に所持される記録媒体９から同乗人数を読み取ると、利用グループ入力手段が操作されたと判断する。また、読取装置８が利用グループの代表者に所持される記録媒体９から分割割当について不可とする情報を読み取ると、分割禁止入力手段が操作されたと判断する。
【００５８】
次に、この実施の形態における行先階登録の受け付け方法を説明する。
記録媒体９を所持する利用者がエレベーターの乗場に到着すると、読取装置８は、記録媒体９に記録される内容を読み取り、読み取った内容に基づいて行先階登録を登録受付手段１１へ出力する。登録受付手段１１が、行先階登録を受信すると、実施の形態１と同様に、利用者に割当てるかご３０を決定する。
【００５９】
以上述べたようにこの実施の形態における行先階登録装置１及び群管理制御システムにあっても、実施の形態１と同様に、利用グループ全員でエレベーターに同乗したい場合に、当該利用グループの代表者は、当該利用グループを分割して配車しても良いかどうかを選択することができるので、利用者の利便性が向上する。
【００６０】
また、この実施の形態における行先階登録装置１は、利用者が所持し当該利用者の行先階を記録する記録媒体９から、行先階を読み取る読取装置８を備える。また、記録媒体９が代表者に所持される場合、記録媒体９は、利用グループの人数及び利用グループを同乗させるか当該利用グループを分割して複数のかご３０に割当てても良いかのいずれかを記録し、読取装置８は、代表者に所持される記録媒体９から行先階、利用グループの人数及び利用グループを同乗させるか否かの情報を読み取る。これにより、利用者は、予め行先階登録に必要な情報を記録媒体９に記録させておくことができるので、乗場に到着してから行先階等の入力を行う必要がなく、利用者の利便性が向上する。
【００６１】
なお、読取装置８を除く行先階登録装置１の構成は、実施の形態１と同態様としたが、これに限らず、読取装置８のみを備える構成としても良い。
【００６２】
実施の形態３．
図１０は、この実施の形態における行先階登録装置１の正面図である。この実施の形態における表示パネル７は、利用者が行先階等を入力している場合及び群管理制御手段１２による割当結果を表示している場合を除き、エレベーターに同乗できる最大人数を表示する。これにより、利用グループの代表者は、分割割当の可否を選択する前に、当該利用グループがエレベーターに同乗できるか把握できる。
【００６３】
この実施の形態における群権利制御システムの構成は、実施の形態１または実施の形態２のいずれかと同態様である。この実施の形態において、乗車人数受信手段１５は、定期的に、複数のエレベーター制御装置２０から各かご３０の乗車人数を受信し、群管理制御手段１２に出力する。群管理制御手段１２は、各かご３０に乗車可能な人数を算出し、算出結果のうち最も多い人数をエレベーターに同乗できる最大人数として報知手段１３に出力する。報知手段１３は、受信した乗車可能人数を表示パネル７に表示させる。図１０の例では、最大５人がエレベーターに同乗できることを示している。なお、この実施の形態における利用者へのかご３０の割当方法は実施の形態１及び実施の形態２と同様である。
【００６４】
以上述べたようにこの実施の形態における行先階登録装置１及び群管理制御システムにあっても、実施の形態１及び実施の形態２と同様に、利用グループ全員でエレベーターに同乗したい場合に、当該利用グループの代表者は、当該利用グループを分割して配車しても良いかどうかを選択することができるので、利用者の利便性が向上する。
【００６５】
また、この実施の形態における群管理制御システムにあっては、利用者に対し同乗可能な最大人数を報知する報知手段１３を備える。これにより、利用グループの代表者は、利用グループがエレベーターに同乗できるか否かを判断してから、行先階登録を行えるので、利用者の利便性が向上する。
【００６６】
なお、実施の形態１から実施の形態３における行先階登録装置１は、分割禁止ボタン６を備えるとしたが、分割禁止ボタン６の代わりに、例えば、分割可能ボタンを備えても良い。利用グループの代表者が、分割可能ボタンを操作すると、群管理制御装置１０は、図６に示すように、利用グループ全員分の乗車スペースのあるかご３０を検出できなかった場合に、当該利用グループを複数のかご３０に分割して割当てる。
【００６７】
なお、実施の形態１から実施の形態３における報知手段１３は、群管理制御手段１２が行った割当結果を表示パネル７に表示させるとしたが、これに限らず、乗場に設けられたスピーカーから音声アナウンスを流す構成としても良いし、その他の構成としても良い。また、実施の形態３における報知手段１３は、エレベーターに同乗可能な最大人数を乗場に設けられたスピーカーから音声アナウンスにより報知する構成としても良い。
【符号の説明】
【００６８】
１  行先階登録装置、２  テンキー、３  行先階確定ボタン、４  地階ボタン、５  利用グループ人数入力ボタン、６  分割禁止ボタン、７  表示パネル、８  読取装置、９  記録媒体、１０  群管理制御装置、１１  登録受付手段、１２  群管理制御手段、１３  報知手段、１４  運行状況受信手段、１５  乗車人数受信手段、１６  乗車人数取得回数カウント手段、２０  エレベーター制御装置、３０  かご、３１  かご操作盤、３２  乗車人数検出手段
【図１】
2017007794.tif 000003
【図２】
2017007794.tif 000004
【図３】
2017007794.tif 000005
【図４】
2017007794.tif 000006
【図５】
2017007794.tif 000007
【図６】
2017007794.tif 000008
【図７】
2017007794.tif 000009
【図８】
2017007794.tif 000010
【図９】
2017007794.tif 000011
【図１０】
2017007794.tif 000012